(57)【要約】 【課題】  本発明は、ビスケット部とランナー部を均等に冷却することを可能にした金型分流子およびそれを備えた鋳造用金型を提供することにより、金型分流子において溶湯が流れるビスケット部とランナー部の形状に対し冷却水の回路を立体的に設計して冷却水の容量を増加させ、ビスケット部とランナー部を均等に冷却することによって冷却効率を上げるとともに鋳造サイクルタイムを短縮することを目的とする。 【解決手段】  分流子を分流子上型２４と分流子下型２５に分割し、分流子上型にはビスケット部１３とランナー部１４の形状に沿った凹形状を設け、分流子下型には分流子上型の凹形状に沿った凸形状を設け、分流子上型と分流子下型を合わせることにより分流子内部に空間２６を形成し、前記空間に冷却水を流入させることにより、ビスケット部とランナー部の各領域が均等に冷却されるようにするものである。【選択図】    図１
2018187661.tif 000002
【特許請求の範囲】
【請求項１】
分流子を分流子上型と分流子下型に分割し、分流子上型にはビスケット部とランナー部の形状に沿った凹形状を設け、分流子下型には分流子上型の凹形状に沿った凸形状を設け、分流子上型と分流子下型とを合わせることにより分流子内部に空間を形成し、前記空間に冷却水を流入させることにより、ビスケット部とランナー部の各領域が均等に冷却されるようにすることを特徴とするダイカスト鋳造用金型機構。
【発明の詳細な説明】
【技術分野】
【０００１】
本発明は、ダイカスト鋳造用金型機構に関するものである。
【背景技術】
【０００２】
従来のダイカスト鋳造用金型は、固定金型と可動金型との間に形成されるキャビティ部に溶湯を高圧で充填して鋳造を行っている。ダイカスト鋳造用金型には高圧で射出される溶湯をキャビティ部に導くための金型分流子が設けられており、金型分流子は、溶湯を射出するプランジャチップとの間に形成されるビスケット部と、ビスケット部からキャビティ部へと溶湯を導くランナー部を形成する。
【０００３】
ダイカスト鋳造においては、キャビティ部、ランナー部、ビスケット部に溶湯が充填された後に、溶湯を凝固させるための冷却期間を設け、溶湯が完全に凝固してから製品を取り出す。このように、製品を１つ鋳造する時間を鋳造サイクルタイムと呼ぶ。
【０００４】
冷却期間が短くなるほど、上記鋳造サイクルタイムが短くなり、単位時間当たりに生産できる製品数が増加する。
【０００５】
このように、冷却期間を短縮するために、ランナー部およびビスケット部の冷却を促進する金型分流子が提案されている（例えば、特許文献１参照）。
【０００６】
特許文献１に開示された金型分流子は、ランナー部およびビスケット部を均等に冷却するために、ビスケット部と対向するように配置された空間と、ランナー部と同角度に傾斜した溝形状を分流子内部に形成し、ここに冷却水を流通することにより、ランナー部とビスケット部とを均等に冷却するようにしたものである。
【先行技術文献】
【特許文献】
【０００７】
【特許文献１】特許第６００２２７１号公報
【０００８】
特許文献１は、中心軸線Ｘに沿って移動して溶湯を射出するプランジャチップ１３との間にビスケット部１０を形成する金型分流子であり、それぞれ前記中心軸線Ｘに沿って略円錐台状に形成される外周面３１ａおよび内周面３１ｂを有するとともに前記プランジャチップ１３により射出された溶湯を前記ビスケット部１０からキャビティ部８へ導くランナー部９が上部の前記外周面３１ａに形成された本体部３１と、前記中心軸線Ｘに沿って略円錐台状に形成されるとともに前記内周面３１ｂに接触した状態で配置される冷却機構３２とを備え、前記冷却機構３２の先端部と前記本体部３１の前記内周面３１ｂとの間に前記ビスケット部１０と対向するとともに前記中心軸線Ｘに直交する断面が略円形の第１空間Ｓ１が形成され、前記冷却機構３２の上部に形成される溝部３２ｃと前記本体部３１の前記内周面３１ｂとの間に前記第１空間Ｓ１と連通するとともに前記ランナー部９と対向するように前記中心軸線Ｘに沿って延びる第２空間Ｓ２が形成され、前記冷却機構３２は、外部から流入した冷却媒体を前記第１空間Ｓ１の下方であって前記中心軸線Ｘよりも下方の領域へ流入させる流入流路３２ｂと、前記第１空間Ｓ１から前記第２空間Ｓ２へ導かれた冷却媒体を外部へ流出させる流出流路３２ｄとを有し、前記ランナー部９を形成する前記外周面３１ａの前記中心軸線Ｘに対する第１傾斜角度θ１と前記第２空間Ｓ２を形成する前記本体部３１の前記内周面３１ｂの前記中心軸線Ｘに対する第２傾斜角度θ２とが一致している金型分流子である。
【０００９】
しかしながら、特許文献１に開示された金型分流子が冷却しているのはビスケット部と、ランナー部と同角度に傾斜した溝形状に対向する部分のみであり、ランナー部全体を均等に冷却することはできるものではない。
【発明の概要】
【発明が解決しようとする課題】
【００１０】
そこで、本発明は、ビスケット部とランナー部を均等に冷却することを可能にした金型分流子およびそれを備えた鋳造用金型を提供することにより、金型分流子において溶湯が流れるビスケット部とランナー部の形状に対し冷却水の回路を立体的に設計して冷却水の容量を増加させ、ビスケット部とランナー部を均等に冷却することによって冷却効率を上げるとともに鋳造サイクルタイムを短縮することを目的とするものである。
【課題を解決するための手段】
【００１１】
本発明は、分流子を分流子上型と分流子下型に分割し、分流子上型にはビスケット部とランナー部の形状に沿った凹形状を設け、分流子下型には分流子上型の凹形状に沿った凸形状を設け、分流子上型と分流子下型を合わせることにより分流子内部に空間を形成し、前記空間に冷却水を流入させることにより、ビスケット部とランナー部の各領域が均等に冷却されるようにするものである。
【発明の効果】
【００１２】
本発明によれば、冷却効率に優れ、鋳造サイクルタイムの短縮を可能にする金型分流子およびそれを備えた鋳造用金型を提供することができるのである。
【図面の簡単な説明】
【００１３】
【図１】ダイカスト金型機構の正断面図
【図２】分流子の上型と下型との重合状態を示す斜視図
【図３】分流子上型と分流子下型との離間状態を示す斜視図
【図４】図２の平面図
【図５】図２の底面図
【図６】図４のＡ−Ａ線切断部端面図
【図７】分流子下型の冷水路における流れ方向を示す図で、（Ａ）は入口部からの方向、（Ｂ）は出口部における方向を示す
【発明を実施するための形態】
【００１４】
図１に示すダイカスト鋳造用金型２９は、アルミニウム、亜鉛、またはマグネシウム等の溶融材料の鋳造を行うための機構を示す。
【００１５】
図１に示すダイカスト鋳造用金型２９は、溶湯供給部２２と、固定金型１と、固定入れ子２と、固定主型３と、可動金型４と、可動入れ子５と、可動主型６と、固定プラテン２４と、可動プラテン２５と、押し出し板１６と、押し出しピン１５と、チルベント２０を備える。可動入れ子５の一部には金型分流子２３が備わっている。
【００１６】
溶湯供給部２２には、プランジャスリーブ９と、プランジャチップ８と、湯口スリーブ１０とを備える。プランジャスリーブ９は、固定プラテン２７に固定された略円筒形の部材である。プランジャスリーブ９の軸方向の中央部分には、溶湯の流路となる中空部が設けられている。プランジャスリーブ９の上方に設けられた溶湯供給口１９からは高温の溶湯が注入されるようになる。
【００１７】
プランジャチップ８は、プランジャロッド８ｂを介して射出油圧シリンダ（図示略）に固定されるとともに、プランジャスリーブ９の内径と略同径の外径の外周面を備える略円柱状部材である。プランジャチップ８は、図１の２点鎖線で示す位置８ａからプランジャスリーブ９の内周面９ａに沿って湯口スリーブ１０の内部まで進退可能となっている。
【００１８】
湯口スリーブ１０は、固定金型１に取り付けられた略円筒上の部材である。湯口スリーブ１０と対向する位置に金型分流子２３が配置されている。可動金型４と固定金型１に近接した図１に示す状態において、湯口スリーブ１０と金型分流子２３との間にはランナー部１４が形成される。プランジャチップ８は、湯口スリーブ１０の内周面１０ａに沿って進退可能となっている。
【００１９】
金型分流子２３は、分流子上型２４と分流子下型２５とを備える。分流子上型２４と分流子下型２５とが組み付けられた状態では、分流子上型２４と分流子下型２５との間に冷却空間２６が形成される。金型分流子２３には分流子下型２５を介し、冷却空間２６に冷却水を供給するための冷却水供給配管１７と、冷却空間２６に供給された冷却水を分流子下型２５を介して排出するための冷却水戻り配管１８が接続されている。冷却空間２６に冷却水を供給することにより、分流子２３が冷却され、その結果、ランナー部１４とビスケット部１３を通過する溶湯が冷却される。
【００２０】
また、湯口スリーブ１０には、内部に形成される冷却孔（図示略）に冷却水を供給するための冷却水供給配管１１と、冷却孔（図示略）に供給された冷却水を排出するための冷却水戻り配管１２が接続している。
【００２１】
溶湯がプランジャスリーブ９の底部に注入された状態で、プランジャチップ８を溶湯供給口１９の右方（符号８ａで示す2点鎖線の位置）から湯口スリーブ１０の内部（符号８で示す実線の位置）まで移動させる。これにより、プランジャスリーブ９内の溶湯がランナー部１４を経由し、キャビティ部７およびチルベント２０に導かれる。ビスケット部１３は、プランジャチップ８が金型分流子２３に最も近接した状態で金型分流子２３とプランジャチップ８との間に形成する領域を示している。
【００２２】
固定金型１は固定プラテン２７に固定された部材である。固定主型３に形成された凹所３ａには、内部に溶湯が導かれる固定入れ子２が収容されている。
【００２３】
可動金型４は可動プラテン２８に固定された部材である。可動主型６に形成された凹所６ａには、可動入れ子５が収容されている。可動金型４は可動プラテン２８に連結される油圧シリンダ等の駆動機構（図示略）によって、図１に示す固定金型１に近接した位置と、固定金型１から離間した位置（図示略）とが切り替えられるようになる。
【００２４】
固定金型１と可動金型４とが近接した状態（図１参照）で、固定金型１と可動金型４との間にキャビティ部７が形成される。図１に示す状態でキャビティ部７に溶湯を導いて冷却することにより、キャビティ部７の形状に対応する製品が鋳造される。
【００２５】
押し出し板１６は、可動金型４の内部に配置されるとともに複数の押し出しピン１５が連結される板状部材である。押し出し板１６は、可動金型４が固定金型１から離間した状態で押出機構（図示略）によって鋳造された製品が固定金型１に近づく方向に押し出される。これにより、押し出しピン１５の先端がキャビティ部７によって形成された製品を押し出し、製品が可動入れ子５から取り外されるようにする。
【００２６】
チルベント２０は、キャビティ部７へ溶湯が導かれることによって押し出されるガスをダイカスト鋳造用金型の外部へ放出するガス抜きをするために使用される金属部材である。チルベント２０は、固定金型１に固定される固定チルベント２０ａと可動金型４に固定される可動チルベント２０ｂとを備える。固定チルベント２０ｂには吸引ポート２１が設けられている。
【００２７】
前記吸引ポート２１にはポンプ（図示略）が接続されているが、ポンプによって吸引を行うことにより、固定チルベント２０ａと可動チルベント２０ｂとの間に形成される間隙を介して、キャビティ部７内のガスを吸引してポンプへ導くようにする。
【００２８】
次に、本実施形態の金型分流子２３について、図２から図７を参照しながら説明する。
【００２９】
図２および図３に示すように、金型分流子２３は分流子上型２４と、分流子上型２４の下部に結合される分流子下型２５とを備える。
【００３０】
図４の平面図に示すように分流子上型２４には、溶湯をビスケット部１３からキャビティ部７へ導くランナー部１４が形成されている。
【００３１】
なお、本項で説明している金型分流子２３は、ランナー部１４が２箇所形成された形状のものであるが、金型分流子２３を取り付ける金型の仕様によって、ランナー部１４の数、形状は変化する。それに伴い、後述する図６の上型凹部２４ａはランナー部１４に沿った形状であり、後述する図６の下型凸部２５ａは上型凹部２４ａに沿った形状である為、上型凹部２４ａ、下型凸部２５ａの形状も変化し、それにより図６の冷却空間２６の形状も変化する。
【００３２】
図６の断面図に示すように、分流子上型２４にはランナー部１４とビスケット部１３に沿った形状である上型凹部２４ａが形成されている。
【００３３】
図６に示すように、分流子下型２５には上型凹部２４ａに沿った形状である下型凸部２５ａと、下型凸部２５ａと繋がった下型凹部２５ｂと、溝部２５ｃが形成されている。溝部２５ｃにはＯリング等のシール材２５ｄが配置されている。
【００３４】
図６に示すように、分流子上型２４と分流子下型２５が結合した状態で、金型分流子２３内部に冷却空間２６が形成される。
【００３５】
図５の底面図に示すように、分流子下型２５には冷却空間２６に冷却水を供給するための流入口２５ｅと、冷却水を排出するための流出口２５ｆが形成されている。
【００３６】
図６に示すように、溝部２５ｃに配置されたシール材２５ｄと、分流子上型２４の底面部２４ｂが接触することでシール領域が形成され、冷却空間２６に流通する冷却水が分流子２３の外部に流出することが防止される。
【００３７】
図７（Ａ）（Ｂ）に示すように、流入口２５ｅから冷却空間２６に流入した冷却水は第１冷却空間２６ａにより、ランナー部冷却空間２６ｂとビスケット部冷却空間２６ｃに導かれ、ランナー部冷却空間２６ｂ、ビスケット部冷却空間２６ｃを流通し、対向するランナー部１４とビスケット部１３を冷却した後、第２冷却空間２６ｄにより流出口２５ｆに導かれ、金型分流子２３の外部へ流出する。
【００３８】
以上の説明においては、金型分流子２３を冷却する冷却媒体として水を用いるものとして説明したが、水以外の液体や気体等の他の冷却媒体を用いるものとしてもよい。
【００３９】
以上の説明においては、金型分流子２３をダイカスト鋳造に用いる例として説明したが、重力鋳造や低圧鋳造などダイカスト鋳造以外の他の鋳造に用いられる鋳造用金型に適用してもよい。
【実施例】
【００４０】
１は固定金型で、これはダイカストマシンの金型取付面（プラテン）に固定する金型である。
【００４１】
２は固定入れ子で、これは固定金型にはめ込む製品形状が彫り込まれた金型である。
【００４２】
３は固定主型で、これは固定入れ子をはめ込むためのベース金型である。
【００４３】
また、３ａは固定主型凹部で、これは前記固定主型３に設けられた固定入れ子２をはめ込むための窪みである。
【００４４】
４は可動金型で、これは金型が開く時に動く取付面（プラテン）に固定する金型である。鋳物製品はこちら側に入っており、型開き後に押し出し装置によって金型から押し出されるようになる。
【００４５】
５は可動入れ子で、これは可動主型６にはめ込む製品形状が彫り込まれた金型である。
【００４６】
６は可動主型で、これは可動入れ子をはめ込むためのベース金型である。
【００４７】
６ａは可動主型凹部で、可動主型６に設けられた、可動入れ子をはめ込むための窪みである。
【００４８】
７はキャビティ部で、これは製品部分にあたる彫り込み面（空間）である。
【００４９】
８はプランジャチップで、これはプランジャロッド８ｂの先端に取付き、溶湯をスリーブ内からキャビティ部７に送り込む部材である。
【００５０】
８ａは溶湯が供給される際のプランジャチップ８の位置を表したものである。
【００５１】
８ｂはプランジャロッドで、その先端にはプランジャチップ８を取付け、射出ピストンロッドと連結する棒状の部材である。
【００５２】
９はプランジャスリーブで、これは溶湯を入れる円筒形の部品で、内面をプランジャチップが摺動する。
【００５３】
９ａはプランジャスリーブ内周面で、ここに沿ってプランジャチップ８が摺動する。
【００５４】
１０は湯口スリーブで、プランジャスリーブ９より溶湯がプランジャチップ８によって射出され、固定金型１へ注入される入り口部品である。
【００５５】
１１は冷却水供給配管で、湯口スリーブ冷却用の冷却水を供給する配管である。
【００５６】
１２は冷却水戻り配管で、湯口スリーブ冷却用の冷却水を排出する配管である。
【００５７】
１３はビスケット部で、プランジャチップ先端と分流子との間の部分であり、製品部まで圧力を伝えるために一番最後に凝固させるべき部分である。
【００５８】
１４はランナー部で、これは湯道ともいう。鋳込口より製品部までの湯の流れる道である。
【００５９】
１５は押出しピンで、これは金型から製品を押し出すためのピンである。
【００６０】
１６は押出し板で、これは後記押出し板前板１６ａと押出し板後板１６ｂから成り、押出しピン１５を動かす板状の部品である。
【００６１】
１６ａは押出し板前板で、これは後記押出し板後板と２枚で押出しピンを挟み込んで使う部品であり、押出しピン孔が開いている側の板である。
【００６２】
１６ｂは押出し板後板で、これは前記押出し板前板との２枚で押出しピンを挟み込み、押出しピンの押さえになる側の板である。
【００６３】
１７は冷却水供給配管で、これは分流子冷却用の冷却水を供給する配管である。
【００６４】
１８は冷却水戻り配管で、これは分流子冷却用の冷却水を排出する配管である。
【００６５】
１９は溶湯供給口で、これはプランジャスリーブに設けられた溶湯の供給口である。
【００６６】
２０はチルベントで、これは後記固定チルベント２０ａと可動チルベント２０ｂから成る蛇腹形状にしたガス抜き用部品である。
【００６７】
２０ａは固定チルベントで、これは固定金型１側に取り付けるチルベントである。
【００６８】
２０ｂは可動チルベントで、これは可動金型４側に取り付けるチルベントである。
【００６９】
２１は吸引ポートで、これはポンプに接続されて吸引を行うことで、チルベントを介してキャビティ部内のガスを吸引しポンプへと導く。
【００７０】
２２は溶湯供給部で、これはプランジャスリーブ９と、プランジャチップ８と、湯口スリーブ１０から成り、キャビティ部７とビスケット部１３とランナー部１４に溶湯を供給する装置である。
【００７１】
２３は分流子で、これは後記分流子上型２４と分流子下型２５とから成り、湯口スリーブ１０より注入された溶湯を受け、可動入れ子５のランナー部１４へと溶湯を繋ぐ部品である。
【００７２】
２４は分流子上型で、これは分流子の上側部を構成する部品である。
【００７３】
２４ａは上型凹部で、これは分流子上型２４に形成されているビスケット部１３とランナー部１４に沿った形状をした窪みである。
【００７４】
２４ｂは底面部で、これはシール材２５ｄと接触することでシール領域が形成される。
【００７５】
２５は分流子下型で、これは分流子の下側部を構成する部品である。
【００７６】
２５ａは下型凸部で、これは上型凹部２４ａに沿った形状をした突起形状である。
【００７７】
２５ｂは下型凹部で、下型凸部２５ａと繋がった窪みである。
【００７８】
２５ｃは溝部で、シール材を配置するための溝形状である。
【００７９】
２５ｄはシール材で、これは溝部２５ｃに配置された状態で分流子上型２４の底面部２４ｂと接触することでシール領域が形成される。
【００８０】
２５ｅは流入口で、これは冷却空間２６に冷却水を供給するための孔形状である。
【００８１】
２５ｆは流出口で、これは冷却空間２６から冷却水を排出するための孔形状である。
【００８２】
２６は冷却空間で、これは分流子上型２４と分流子下型２５とで形成される空間であり、ここには冷却水が通過して金型分流子２３を冷却することになる。
【００８３】
２６ａは第１冷却空間で、これは冷却空間２６の中で冷却水が一番初めに流通する空間である。
【００８４】
２６ｂはランナー部冷却空間で、これは主としてランナー部１４を冷却するための空間である。
【００８５】
２６ｃはビスケット部冷却空間で、これは主としてビスケット部１３を冷却するための空間である。
【００８６】
２６ｄは第２冷却空間で、これはランナー部冷却空間２６ｂやビスケット部冷却空間２６ｃを流通してきた冷却水が流通し、流出口２５ｆより排出される。
【００８７】
２７は固定プラテンで、これはダイカストマシンの金型取付面（固定側）である。
【００８８】
２８は可動プラテンで、これはダイカストマシンの金型取付面（可動側）である。
【００８９】
２９はアルミニウム，亜鉛，マグネシウム等の溶融材料の鋳造を行うための金型全体を示す。
【符号の説明】
【００９０】
１                          固定金型
２                          固定入れ子
３                          固定主型
３ａ                        固定主型凹部
４                          可動金型
５                          可動入れ子
６                          可動主型
６ａ                        可動主型凹部
７                          キャビティ部
８                          プランジャチップ
８ａ                        溶湯供給時のプランジャチップの位置
８ｂ                        プランジャロッド
９                          プランジャスリーブ
９ａ                        プランジャスリーブ内周面
１０                        湯口スリーブ
１１                        冷却水供給配管
１２                        冷却水戻り配管
１３                        ビスケット部
１４                        ランナー部
１５                        押出しピン
１６                        押出し板
１６ａ                      押出し板前板
１６ｂ                      押出し板後板
１７                        冷却水供給配管
１８                        冷却水戻り配管
１９                        溶湯供給口
２０                        チルベント
２０ａ                      固定チルベント
２０ｂ                      可動チルベント
２１                        吸引ポート
２２                        溶湯供給部
２３                        金型分流子
２４                        分流子上型
２４ａ                      上型凸部
２４ｂ                      底面部
２５                        分流子下型
２５ａ                      下型凸部
２５ｂ                      下型凹部
２５ｃ                      溝部
２５ｄ                      シール材
２５ｅ                      流入口
２５ｆ                      流出口
２６                        冷却空間
２６ａ                      第１冷却空間
２６ｂ                      ランナー部冷却空間
２６ｃ                      ビスケット部冷却空間
２６ｄ                      第２冷却空間
２７                        固定プラテン
２８                        可動プラテン
２９                        ダイカスト鋳造用金型
【図１】
2018187661.tif 000003
【図２】
2018187661.tif 000004
【図３】
2018187661.tif 000005
【図４】
2018187661.tif 000006
【図５】
2018187661.tif 000007
【図６】
2018187661.tif 000008
【図７】
2018187661.tif 000009